(57)【要約】【課題】  ２つのＩＣカードを選択的に１つ収容できるようにしたカードコネクタであって、カード収容部に配列されるコンタクト構造を改良することにより、その構造を簡単化するとともに、製造が容易なカードコネクタを提供する。【解決手段】  カードを収容する空間と、該空間内にカード挿入方向に平行に配置される複数のコンタクトを少なくとも備え、前記ＩＣカードを収容する空間内に配置されるコンタクト各々は、前記複数のＩＣカードのパッドそれぞれに対応する複数の接点部がカード挿入方向前後に形成され、パッドのピッチが同じ複数のＩＣカードを選択的に１つ装着できる。【選択図】  図３
2005209550.tif 000002
【特許請求の範囲】
【請求項１】
パッドのピッチが同じ複数のＩＣカードを選択的に１つ装着できるようにした電子機器用カードコネクタであって、
該カードコネクタは、前記ＩＣカードを収容する空間と、該空間内にＩＣカード挿入方向に平行に配置される複数のコンタクトとを備え、
前記ＩＣカードを収容する空間内に配置される前記コンタクト各々は、前記複数のＩＣカードのパッドそれぞれに対応する複数の接点部が前記ＩＣカード挿入方向前後に形成されている、
ことを特徴とする電子機器用カードコネクタ。
【請求項２】
挿入される前記複数のＩＣカードを識別するためのガイド機構と、
該ガイド機構により識別された結果に基づいて、ＩＣカードを対応するコンタクトの接点部に案内するようにしたアクチュエータとをさらに備えることを特徴とする請求項１に記載の電子機器用カードコネクタ。
【請求項３】
パッドのピッチが同じ複数のＩＣカードを選択的に１つ装着できるようにした電子機器用カードコネクタに取り付けられるコンタクトであって、
１つのコンタクトに少なくとも２つの接点部がカード挿入方向前後に形成されていることを特徴とするコンタクト。
【発明の詳細な説明】
【技術分野】
【０００１】
本発明は、電子機器用のカードコネクタ及びそれに使用されるコンタクトに関し、より詳細には、大きさの異なるメディア（ＩＣカード）を選択的に１つ受け入れることのできるカードコネクタ及びそれに使用されるコンタクトであって、電子機器とＩＣカードを電気的に接続するコンタクトの構造を改良したカードコネクタ及びそれに使用されるコンタクトに関する。
【背景技術】
【０００２】
近年、携帯電話機、カメラ、リーダライタあるいはノート型パーソナルコンピュータなどの電子機器においては、ＣＰＵあるいはメモリ用ＩＣが内蔵されたＩＣカードを装着させることで各種の機能拡張ができるようになってきている。従来のカードコネクタは、例えば、特許文献１にあるように、１つのＩＣカードの外部接点（パッド）に対応するコンタクトを備えていればよかった。したがって、内蔵される機能に応じておおきさの異なる複数のＩＣカードを使って機能拡張を図るとき、例えば、特許文献２に示されるように、カードコネクタは、それぞれのＩＣカードの大きさに対応するＩＣカード収容空間及び該空間内に配置されるコンタクトを備えなければならず、カードコネクタが大きくなり近年の電子機器自体の軽薄短小化の流れにおいては望ましいものではない。これを解消するものとして、カードの大きさ（厚さ、長さ及び幅など）が異なるが、パッドのピッチが同じＩＣカードに対してカードを収容する空間としてのカード収容部及び該カード収容部内に配列されるコンタクトを共有できるようにしたものも提案されている。このようにコンタクトを共有することにより、カードコネクタは、カード収容部を省略でき、コネクタの、ひいては電子機器の大型化を抑制できる。
【０００３】
【特許文献１】特開２００１−１９５５４６号公報
【特許文献２】特許第３３９６４５７号公報
【発明の開示】
【発明が解決しようとする課題】
【０００４】
しかしながら、このようなコンタクト共有構造であると、特にＩＣカードの長さが異なる場合において以下のような問題が生ずる。
すなわち、カードコネクタのカード収容部に挿入する方向の長さが長いＩＣカードのパッドに合わせて、カード収容部内にコンタクトを設けた場合、該カード収容部に短いＩＣカードを挿入し、そのパッドをコンタクトに接触させようとすると、該短いＩＣカードがカードコネクタのカード収容部内に入り込んでしまうことが起こり得る。その結果、短いＩＣカードのパッドをカード収容部内のコンタクトに完全に接触させることができず、イジェクト機構の作用によりＩＣカードをカードコネクタに装着することができない恐れが生じる。また、ＩＣカードを交換するようなとき、カード収容内に入り込んでいる短いＩＣカードを手で取り外すことが困難となり、場合によっては取り外しが不可能となる恐れもある。それは、例えば、プッシュ・プッシュ式のイジェクト機構では、装着されているＩＣカードを再度押し込まなければイジェクト機構によるカードを排除（イジェクト）という機能を発揮し得ないところ、上記したように短いＩＣカードが完全にカード収容部に入ってしまうと、該ＩＣカードを再度押し込むことができず、結果として、カードを取り出すことができなくなる恐れがあるからである。
【０００５】
逆に、長さが短いＩＣカードのパッドに合わせて、カード収容部内にコンタクトを設けた場合、長いＩＣカードを挿入すると、カード後端がカード収容部から突出しすぎ、ひいては電子機器のケースからも突出し、ＩＣカードが邪魔になる恐れがあり、場合によっては、何らかの原因により、ＩＣカードを引っ掛けて、該ＩＣカードをカード収容部から外してしまったり、パッドとコンタクトとの接触不良を起こしたりすることもあり得る。これを防ぐためには電子機器の大きさを大きくせざるを得ないことになり、特に携帯用電子機器においては望ましいことではない。
【０００６】
以上のような問題を解決するために、本出願人は、長さの異なるＩＣカードの後端が全て同じ所定位置に来るようにしたカード収容部を備えるカードコネクタを既に提案している。この場合、カード収容部内にコンタクトを複数列前後に配列することになるが、部品点数が多くなると共に構造が複雑となり、また、カードコネクタの製造時におけるカード収容部へのコンタクトの配列固定に時間を要する。
【０００７】
本発明の目的は、このような問題点に鑑み、２つのＩＣカードを選択的に１つ収容できるようにしたカードコネクタであって、カード収容部に配列されるコンタクト構造を改良することにより、その構造を簡単化するとともに、製造が容易なカードコネクタを提供することにある。
【課題を解決するための手段】
【０００８】
上記目的を達成すべく本発明の電子機器用カードコネクタは、カードを収容する空間と、該空間内にカード挿入方向に平行に配置される複数のコンタクトを少なくとも備え、前記ＩＣカードを収容する空間内に配置されるコンタクト各々は、前記複数のＩＣカードのパッドそれぞれに対応する複数の接点部がカード挿入方向前後に形成され、パッドのピッチが同じ複数のＩＣカードを選択的に１つ装着できることを特徴とする。
【０００９】
また、本発明に係る電子機器用カードコネクタは、挿入される前記複数のＩＣカードを識別するためのガイド機構と、該ガイド機構により識別された結果に基づいて、ＩＣカードを対応するコンタクトの接点部に案内するようにしたアクチュエータをさらに備えることが好ましい。
【００１０】
さらに、本発明に係る電子機器用カードコネクタに使用されるコンタクトは、パッドのピッチが同じ複数のＩＣカードを選択的に１つ装着できるようにした電子機器用カードコネクタに取り付けられるコンタクトであって、１つのコンタクトに少なくとも２つの接点部がカード挿入方向前後に形成されていることを特徴とする。
【発明の効果】
【００１１】
２つのＩＣカードを選択的に１つ収容できるようにしたカードコネクタにおいて、２つの接点を備える１つのコンタクトを用いることにより、異なる大きさのＩＣカードを挿入しても、ＩＣカードの後端がカードコネクタに対して略同じ位置に位置するようにできるため、ＩＣカードのカードコネクタへの装着、取り外しに支障をきたすことがない。また、コンタクトとしては、従来のように前後に２つ配列する必要が無く、１つで済むので部品点数が少ない。また、コンタクトのコネクタ本体への取り付け構造も簡単になり、組立も容易であり、全体として製造コストも安価なものとなる。さらに、カード収容空間を１つにすれば、カードコネクタをよりコンパクトにすることができる。
【発明を実施するための最良の形態】
【００１２】
以下、本発明に係るカードコネクタについて図１乃至７を用いて説明する。
図１は、本発明に係るカードコネクタの上面図、図２は、図１のカードコネクタにおいて、カバー部材などを取り除いた図、図３は、図２のカードコネクタの斜視図である。図４は、図１のＡ−Ａ断面図であって、カードコネクタのカード収容部に長さの短いＩＣカードが挿入された状態を示す図である。図５は、図４と同様に図１のＡ−Ａ断面図であって、カードコネクタのカード収容部に長さの長いＩＣカードが挿入された状態を示す図である。図６は、本発明に係るカードコネクタで使用されるコンタクトの構造を示す図であって、（ａ）乃至（ｅ）は、いろいろなコンタクトの例を示している。図７は、本発明に係るコンタクトを別のカードコネクタに適用した実施例を示す。
【００１３】
（第１の実施例）
本実施例に係るカードコネクタ１０は、図４、５に示されるように、大きさは異なるが、外部接点としてのパッドのピッチが同じである２種類のＩＣカード１００及び２００を選択的に１つ装着できるように構成されている。本実施例でカードコネクタ１０に装着される大きさの異なる２種類のＩＣカードは、例えば、長さ、幅及び厚さにおいていずれも小さいメモリスティックデュオ（登録商標）１００（以下、「小さいＩＣカード」という。）と、長さ、幅及び厚さにおいていずれも大きいメモリスティック（登録商標）２００（以下、「大きいＩＣカード」という。）である。
【００１４】
図１乃至３に示されるように、カードコネクタ１０は、概略、コネクタ本体２０、カバー部材３０、複数のコンタクト４０、イジェクト機構５０、ガイド機構６０、アクチュエータ７０及びフィーリングロック部材８０を備えている。
【００１５】
コネクタ本体２０は、電気絶縁性の合成樹脂で形成される。図２、３に詳細に示されるように、コネクタ本体２０は、底板２１、後端（図２で底板２１の左端）壁２２、左右（図２で底板２１の上下端）の側壁２３ａ、２３ｂを含み、上方及び前方（図２で右方）が開放した筐体を成している。底板２１の所定位置には、コンタクト４０を固定するためのコンタクト溝２４が複数平行に形成されている。なお、底板２１に形成されているコンタクト溝２４の前方（図２で右方）には、コンタクト４０の第１の接点部４１ａが下方へ押下げられるのを助けるために小孔が形成されていることが望ましい。また、コンタクト溝２４は、後端壁２２を貫通しており、コンタクト４０の端子部４４が後端壁２２から後方（図２で左方）に突出できるようになっている。
【００１６】
また、コネクタ本体２０の左右側壁２３ａ、２３ｂには、その前端部（図２で底板２１の右端）に一対のガイド機構６０用の第１の溝２３ｃ及び第２の溝２３ｄが設けられている。第１の溝２３ｃは、ガイド機構６０をコネクタ本体２０に固定するためのものであり、第２の溝２３ｄは、ガイド機構６０の第２の脚部６３を揺動可能に収容するための溝であって、前後（図２で左右）に前方開口部２３ｅ及び後方開口部２３ｆを有し、これらの開口部２３ｅ、２３ｆを介してカードを収容する空間９０に連通している。さらに、第１の溝２３ｃと第２の溝２３ｄは略平行に形成されるとともに、第１の溝２３ｃと略Ｖ字形を成す溝２３ｇを介して連通している。なお、前方開口部２３ｅは、第１の溝２３ｃと略Ｖ字形を成す溝２３ｇにまたがっており、したがって、溝２３ｇも前方開口部２３ｅを介してカード収容空間９０に連通している。さらに、コネクタ本体２０は、一対のガイド機構６０と協働してＩＣカードをカード収容空間９０内に案内するアクチュエータ７０を回動自在に支持する。したがって、上記後方開口部２３ｆは、該アクチュエータ７０が回動できるだけの間隔を備えている必要がある。さらに、コネクタ本体２０は、ガイド機構６０の後方であって、一方の側壁（本実施例では、側壁２３ｂ）に沿ってイジェクト機構５０及びフィーリングロック部材８０を支持する。
【００１７】
カバー部材３０は、金属薄板で形成されることが好ましいが、合成樹脂製であってもよい。該カバー部材３０は、天板３１、後端（図１で天板３１の左端）壁３２、左右（図１で天板３１の上下端）の側壁３３ａ、３３ｂを含み、上記コネクタ本体２０を上方から覆い包むように下方及び前方（図２で右方）が開放した筐体状に形成されている。
【００１８】
したがって、コネクタ本体２０とカバー部材３０とでＩＣカードを収容する空間としてのＩＣカード収容部９０が形成され、該ＩＣカード収容部９０の前端にはＩＣカード挿入口９１が形成される（図４参照）。
【００１９】
複数のコンタクト４０は、上記したように、コネクタ本体２０に形成されている複数の溝２４に固定され、並列に配列される。
本件発明に係るカードコネクタは、このコンタクト４０の構造に最も特徴を有する。当該コンタクトの詳細な構造の一例が、図６（ａ）乃至（ｅ）に示されている。図６（ａ）乃至（ｅ）に示されるコンタクトを代表して、図６（ａ）を参照しつつ、コンタクト４０の詳細に付いて説明する。
【００２０】
図６（ａ）に示されるように、本発明に係るコンタクト４０は、従来別々に形成され、カード挿入方向前後に配列されていた２つのコンタクトを１つのコンタクトで一体に形成されていることを特徴としている。
【００２１】
コンタクト４０は、金属薄板などの導電性材料から成り、第１の接点部４１ａ、第２の接点部４１ｂ、第１の弾性部４２ａ、第２の弾性部４２ｂ、固定部４３及び端子部４４を含んでいる。
【００２２】
第１の接点部４１ａは、コンタクト４０の先端部に位置し、固定部４３から第１の弾性部４２ａを介して片持ち梁状に前方に延在している。第１の接点部４１ａの位置は、小さいＩＣカードのパッドに接触し得るように設計される。
【００２３】
第２の接点部４１ｂは、コンタクト４０の中間に位置し、固定部４３から第２の弾性部４２ｂを介して片持ち梁状に後方に延在している。第２の接点部４１ｂの位置は、大きいＩＣカードのパッドの接触し得るように設計される。なお、第２の接点部４１ｂ及び第２の弾性部４２ｂは、板状のコンタクト４０の固定部４３から切り起こすことにより形成される。
【００２４】
固定部４３は、細長い板状を成しており、その左右適宜の個所に複数の係止爪４７が形成されており、該複数の係止爪４７を介して、コンタクト４０がコネクタ本体２０の溝２４内に圧入、固定される。固定部４３には、第２の接点部４１ｂ及び第２の弾性部４２ｂを切り起こした部分に略矩形状の長孔４５が形成される。また、図６（ｂ）に示されるように、第１の弾性部４２ａと第２の弾性部４２ｂの立ち上げ位置の間が離れているときは、その中間部分にも略矩形状の長孔４６が形成されることが望ましい。これらの長孔４５、４６は、コンタクト４０をコネクタ本体２０の溝２４内に前後方向から圧入するとき、治具をこれらの長孔に引き掛けて引っ張りながら圧入するのに役立つ。さらに、これらの長孔４５、４６は、コンタクト４０圧入時における該コンタクト４０の捩れ又は歪みを吸収し、接点部４１ａ、４１ｂを正しく配置させるのに役立つ。
【００２５】
端子部４４は、電子機器の印刷回路の端子に半田付けなどにより接続される。端子部４４は、コンタクト４０がコネクタ本体２０に固定されたとき、該コネクタ本体２０の外に位置するように、固定部４３に対して第１の接点部４１ａとは反対側に延在する。
【００２６】
図６（ｃ）乃至（ｅ）には、接点部の延在する方向をいろいろに変えているコンタクト４０の実施例が示されている。なお、図６（ｄ）、（ｅ）に示されるコンタクトにおいては、第１の接点部４１ａ及び第１の弾性部４２ａも固定部４３から切り起こすことにより形成される。接点部の延在する方向を、例えば、図６（ａ）の第２接点部４１ｂのように後向きにすると、ＩＣカードは、挿入し易いが抜け難くなり、図６（ａ）の第１接点部４１ａのように前向きにすると、挿入し難いが抜け易くなる。接点部の延在する方向を後向きにするほうが好ましいが、特に第１接点部４１ａを後向きに延在させるとコンタクト４０の長さを長くしなければならず、したがって製造コストが高くなる。このように接点部の延在する方向については、一長一短があり、ＩＣカードの使用頻度などに応じて適宜選択される。
【００２７】
以上述べた通り、本発明に係るカードコネクタのコンタクトは、前後に配列され、夫々が接点部を有する２つのコンタクトを一体化して、２つの接点部を有する１つのコンタクトとして形成している。それにより、部品点数を減少できると共に、コネクタ本体へのコンタクト取り付け構造を簡単化でき、結果として、カードコネクタの組立工数も減少できる。また、２つの接点部に対する設計上の自由度が高くなるため、２つの接点部の長さ方向及び高さ方向の配列位置に対しても容易に調整できる。さらに、カードを収容する空間９０を共有するので、カードコネクタをより小型化できる。
【００２８】
イジェクト機構５０については、図１に、カバー部材３０から切り起こされているカムレバー押え５１と、図２に、ハートカム５２のみが図示され、その他の構成が図示されていないが、イジェクト機構５０としては、従来と同様の構造をしている。ここでは簡略に説明をする（なお、詳細は、例えば、上記特許文献１参照）。
【００２９】
イジェクト機構５０は、ＩＣカードをカードコネクタ１０から排出することを容易にするために設けられている装置であって、本実施例では、コネクタ本体２０の左側（図２で下方）の側壁２３ｂに沿って設けられている。イジェクト機構５０は、ＩＣカードに当接して往復動するイジェクト部材、該イジェクト部材をＩＣカード排出方向に付勢するバネ、イジェクト部材の往復動を規制するハートカム５２、一端がイジェクト部材に連結され、自由端である他端がハートカム５２に沿ってその周囲を摺動するカムレバー、及びカムレバーがハートカム５２の周囲に形成される摺動溝５２ｂ内を確実に移動し得るように該カムレバーを上から押えるカムレバー押え５１を備えている。なお、本実施例におけるイジェクト機構５０は、大きいＩＣカード２００にのみ作用するように説明されているが、小さいＩＣカード１００に作用するように、例えば、右側の側壁２３ａに沿って別のイジェクト機構が設けられても良い。
【００３０】
イジェクト機構５０の動作を説明する。大きいＩＣカード２００をカードコネクタ１０のＩＣカード収容部９０内に挿入すると、該ＩＣカード収容部９０内に配置されているイジェクト部材に長いＩＣカード２００が当接し、該大きいＩＣカード２００は、バネに抗してイジェクト部材と共に移動し、大きいＩＣカード２００のパッドとカード収容部９０内に配置されるコンタクト４０の接点部４１ｂとが接触する所定位置を若干越えた位置まで押し込まれる。ここで大きいＩＣカード２００の押し込み動作を解除すると、イジェクト部材と一緒に移動していたカムレバーの自由端が、ハートカム５２に沿って若干戻りながらハートカム５２の中心のくぼみ部分５２ａに係止される。これによって、大きいＩＣカード２００は、カードコネクタ１０のカード収容部９０内に装着された状態を維持される。
【００３１】
大きいＩＣカード２００をカードコネクタ１０から取り外すときは、該大きいＩＣカード２００を若干押し込み、カムレバーの自由端をハートカム５２のくぼみ部分５２ａから脱出させる。続いて、押し込み動作を解除すると、バネの付勢力によりイジェクト部材が元の位置に戻され、それにより該イジェクト部材に当接している大きいＩＣカード２００もカード収容部９０内から排出される。
【００３２】
ガイド機構６０は、カードコネクタ１０内に挿入される大きさ（幅）の異なるＩＣカードを識別し、後述するアクチュエータ７０と協働して、大きさの異なるカード夫々を対応するコネクタ４０の接点部４１ａ、４１ｂに案内するための装置である。ガイド機構６０は、コネクタ本体２０の前端部に、左右の側壁２３ａ、２３ｂに沿って対をなして配設される。ここでは、図２で上側に示されるガイド機構６０について図２、３を用いて説明する。ガイド機構６０は、金属薄板で形成される。ガイド機構６０は、側壁２３ａ外側に形成される第１の溝２３ｃ内に嵌合してソケット本体２０に固定される第１の脚部６１、該脚部６１から略Ｖ字形を成し、かつ弾性を有するように折り返され、前方開口部２３ｅから内側（カード収容部９０側）に向けて突出するカード当接部６２、側壁２３ａ内側に形成される第２の溝２３ｄ内で左右（図２で上下）に揺動可能な第２の脚部６３、後方開口部２３ｆに臨んでアクチュエータ７０の右側（図２で上方）の板状脚部７２が係合し、該板状脚部７２が出入りできるように開けられている開孔６４を含んでいる。なお、上記第１の脚部６１と第２の脚部６３は、略並行に形成されている。
【００３３】
アクチュエータ７０は、上述したように、ガイド機構６０と協働して、大きさの異なるＩＣカードを識別し、大きさの異なるＩＣカードそれぞれのパッドが対応するコネクタ４０の接点部４１ａ又は４１ｂに接触し得るように案内する装置であって、ガイド機構６０の間にコネクタ本体２０に対して回動自在に配設されている。さらに、該アクチュエータ７０は、第２の溝２３ｄの後方開口部２３ｆを形成する側壁２３ａに当接する、すなわち立設状態を維持するようにねじりバネなどにより付勢されている。
【００３４】
アクチュエータ７０は、一対のガイド機構６０の間に延在するシャッター部材７１及び該シャッター部材７１の両端部で下方に延在する板状脚部７２を備えており、カード挿入口９１側から見て、下方が開放した概略門型の形状を成している。シャッター部材７１は、その前面（カード挿入口９１側）が下方に向かって後方に傾斜する傾斜面７１ａとして形成され、したがって、シャッター部材７１の断面形状は、略直角三角形状を成している（図４、５参照）。アクチュエータ７０の板状脚部７２の下端部は、アクチュエータ７０の回転中心としての、例えば、ピン、などを介してコネクタ本体２０の側壁２３ａに軸支されている。また、アクチュエータ７０の板状脚部７２がガイド機構６０の開孔６４に係合することにより、アクチュエータ７０の回動が阻止される。
【００３５】
門型のアクチュエータ７０は、門型の形状を成すことにより形成される略矩形状の空間を小さいＩＣカード１００が通り抜けられるように構成されている。すなわち、シャッター部材７１の長さ（板状脚部７２間の間隔）は、小さいＩＣカード１００の幅より若干長く、板状脚部７２の高さは、小さいＩＣカード１００の高さより若干高い。
【００３６】
このような構成を備えているガイド機構６０及びアクチュエータ７０の作用を以下に説明する。
【００３７】
カードコネクタ１０のカード収容部９０内に大きいＩＣカード２００が挿入されると、一対のガイド機構６０のカード当接部６２がＩＣカード２００の側部に当接し、それによりカード当接部６２に続く第２の脚部６３が左右に開かれ、その結果、開孔６４とアクチュエータ７０の板状脚部７２との係合が外れ、回動可能な状態になる。この状態で、大きいＩＣカード２００がさらに挿入されると、該ＩＣカード２００の先端がアクチュエータ７０に当接する。大きいＩＣカード２００は、アクチュエータ７０を通り抜けることができず、係合が解かれているアクチュエータ７０を後方に回動させながら水平状態に押し倒す（図５参照）。これにより、大きいＩＣカード２００は、押し倒されたシャッター部材７１の傾斜面７１ａを介し、該シャッター部材７１上を案内される。大きいＩＣカード２００がカードコネクタ１０のカード収容部９０内に完全に押し込まれ、装着が完了したとき、大きいＩＣカード２００のパッドは、後方に配列されているコンタクト４０の第２の接点部４１ｂに接触する。なお、大きいＩＣカード２００は、カバー部材３０の天板３１に押えられており、それにより、大きいＩＣカード２００のパッドは、コンタクト４０の第２の接点部４１ｂに適切な接触圧で接触し得る。
【００３８】
一方、カードコネクタ１０のカード収容部９０内に小さいＩＣカード１００が挿入されると、小さいＩＣカード１００は、シャッター部材７１の傾斜面７１ａを介してアクチュエータ７０に形成されている略矩形状の空間を通り抜け、そのまま後方に押し込まれ、カード収容部９０内に装着され、小さいＩＣカード１００のパッドは、収容部９０の前方に配列されているコンタクト４０の第１の接点部４１ａに接触する。なお、小さいＩＣカード１００は、アクチュエータ７０のシャッター部材７１に押えられているので、小さなＩＣカード１００が上方に逃げることは無く、よって、小さなＩＣカード１００のパッドは、コンタクト４０の第１の接点部４１ａに適切な接触圧で接触し得る。
【００３９】
ガイド機構６０及びアクチュエータ７０を上記のように構成することにより、２種類のＩＣカードを選択的に挿入できるカードコネクタであって、カード挿入口を１つにすることにより、カードコネクタをすっきりとした構造にできると共に、従来のカードコネクタのように２枚のＩＣカードを挿入するためにＩＣカード２枚分の厚さを必要とせず、したがって、カードコネクタを薄く形成することが可能となる。
【００４０】
フィーリングロック部材８０は、大きいＩＣカードのイジェクト機構５０による排出動作時の飛び出しを防止するための装置であって、一端をコネクタ本体に固定され、他端をカード収容部９０内に突出するバネ部材として構成されている。
【００４１】
（第２の実施例）
以上、本実施例においては、２つのＩＣカードを選択的に１つ収容できるようにしたカードコネクタであって、カード挿入口が１つでカードコネクタについて説明してきたが、本発明において特徴とするコンタクトは、従来のカード挿入口が２つのカードコネクタにも適用できる。図７にその一例を示す。図７において、（ａ）は、小さいカードを挿入したカードコネクタの概略断面図、（ｂ）は、大きいカードを挿入したカードコネクタの概略断面図である。
【００４２】
図に示されるように、カードコネクタ１０ａの上段に大きいＩＣカードを収容する第１のカード収容部９０ｂが、同じく下段に小さいカードを収容する第２のカード収容部９０ａがそれぞれ仕切り板２５を介して形成され、コンタクト４０が上記第１の実施例と同様に、配置されている。
【００４３】
小さいＩＣカード１００が下段のカード収容部９０ａに挿入されると、前方に且つ低く配置されるコンタクト４０の第１の接点部４０ａに小さいＩＣカード１００のパッドが接触する。大きいＩＣカード２００が上段のカード収容部９０ｂに挿入されると、後方に且つ高く配置される第２の接点部４１ｂに大きいＩＣカードのパッドが接触する。
【００４４】
なお、本第２の実施例の場合、図７（ｃ）に示されるようなコンタクトを仕切り板２５に配置しても良い。この場合、下段のカード収容部９０ａに挿入される小さいＩＣカード１００は、裏表逆に、すなわち、パッドが形成されている面を上にして挿入される。また、上段に小さいＩＣカード用の収容部９０ａを、下段に大きいＩＣカード用の収容部９０ｂを形成してもよい。
【図面の簡単な説明】
【００４５】
【図１】本発明に係るカードコネクタの上面図である。
【図２】図１のカードコネクタにおいて、カバー部材などを取り除いた図である。
【図３】図２のカードコネクタの斜視図である。
【図４】図１のＡ−Ａ断面図であって、カードコネクタのカード収容部に長さの短いＩＣカードが挿入された状態を示す図である。
【図５】図４と同様に図１のＡ−Ａ断面図であって、カードコネクタのカード収容部に長さの長いＩＣカードが挿入された状態を示す図である。
【図６】本発明に係るカードコネクタで使用されるコンタクトの構造を示す図であって、（ａ）乃至（ｅ）は、いろいろなコンタクトの例を示している。
【図７】本発明に係るコンタクトを別のカードコネクタに適用した実施例を示し、（ａ）は、小さいカードを挿入したカードコネクタの概略断面図、（ｂ）は、大きいカードを挿入したカードコネクタの概略断面図、（ｃ）は、この実施例のカードコネクタに適用できるさらに別のコンタクトを示す。
【符号の説明】
【００４６】
１０          カードコネクタ
２０          コネクタ本体
２１          底板
２２          後壁
２３ａ        側壁（右）
２３ｂ        側壁（左）
２３ｃ        第１の溝
２３ｄ        第２の溝
２３ｅ        前方開口部
２３ｇ        溝
２３ｆ        後方開口部
３０          カバー部材
３１          天板
３２          後端壁
３３ａ        側壁（右）
３３ｂ        側壁（左）
４０          コンタクト
４１ａ        第１の接点部
４１ｂ        第２の接点部
４２ａ        第１の弾性部
４２ｂ        第２の弾性部
４３          固定部
４４          端子部
４５          長孔（切り起こし部分）
４６          長孔
４７          係止爪
５０          イジェクト機構
５１          カムレバー押さえ
５２          ハートカム
５２ａ        くぼみ部分
５２ｂ        摺動溝
６０          ガイド機構
６１          第１の脚部
６２          カード当接部
６３          第２の脚部
６４          矩形状開孔
７０          アクチュエータ
７１          シャッター部材
７２          板状脚部
８０          フィーリングロック部材
９０          カード収容部
９１          カード挿入口
１００        小さいＩＣカード（メディア）
２００        大きいＩＣカード（メディア）
【図１】
2005209550.tif 000003
【図２】
2005209550.tif 000004
【図３】
2005209550.tif 000005
【図４】
2005209550.tif 000006
【図５】
2005209550.tif 000007
【図６】
2005209550.tif 000008
【図７】
2005209550.tif 000009